(57)【要約】  量子デバイス（１０；１５）は伝達構造（５，６，７；１３，１４）を備えており、伝達構造は、量子崩壊、干渉、および選択的吸収に基づいて、例えば熱励起によって少なくとも２つの物体によって放出される量子波がこれらの物体の部分集合に優先的に送られるように、設計されている。【選択図】  図３
2022500904.tif 000002
【特許請求の範囲】
【請求項１】
量子デバイスであって、
少なくとも第１のポート（３１）と第２のポート（３２）の間に接続されている伝達構造（３３，３４，３５，３６）、
を備えており、
前記伝達構造が、前記ポート間の量子波の非相反性運動を達成するために、量子波の崩壊、干渉、および選択的吸収を実施するように設計されている、
量子デバイス。
【請求項２】
少なくとも１つの第１のポート（３１）および少なくとも１つの第２のポート（３２）と、
前記２つのポートの間に延びる少なくとも２つの第１の伝達経路を備えた前記伝達構造（３３，３４，３５，３６）と、
を備えており、
前記伝達構造が、次のようにさらに設計されている、すなわち、前記２つのポートから発せられた第１の波が、両方の伝達経路を伝搬する第１の部分波に分割され、前記第１の部分波が、干渉の結果としての重ね合わせが、前記第１の部分波が前記第１のポート（３１）から発せられたか前記第２のポート（３２）から発せられたかに依存するように、少なくとも部分的に干渉する、ようにさらに設計されている、
請求項１に記載の量子デバイス。
【請求項３】
少なくとも１つの第１のポート（３１）および少なくとも１つの第２のポート（３２）と、
前記２つのポートの間に延びる少なくとも２つの第１の伝達経路を備えた前記伝達構造（３３，３４，３５，３６）と、
を備えており、
前記伝達構造が、次のように、すなわち、前記第１の波が、両方の伝達経路を伝搬する第１の部分波に分割されるように、さらに設計されており、
前記伝達構造（３３，３４，３５，３６）から少なくとも部分的に発せられた第２の波が、前記伝達構造によって、両方の伝達経路を伝搬する第２の部分波に分割され、前記第２の部分波が、優先的に一方のポートに到達するように少なくとも一部が干渉する、
請求項１に記載の量子デバイス。
【請求項４】
部品を動かすかまたは回転させることによって、または、前記伝達経路の伝達特性を変化させることによって、または、前記伝達経路の特性を、機械的手段、電気的手段、磁気的手段、または光学的手段によって変化させることによって、前記伝達構造の作用が変更される、請求項１から請求項３のいずれか１項に記載の量子デバイス。
【請求項５】
前記２つのポートの間を移動する前記波の位相の少なくとも一部が、位相が保存されない散乱イベントの作用を使用して、消失してランダムな位相に置き換わる、請求項１から請求項４のいずれか１項に記載の量子デバイス。
【請求項６】
−  前記第１の波が、熱源から得られるエネルギーを有する量子、または０＜Ｅ＜１００ｋＴであるような次数ｋＴのエネルギーＥを有する量子を含み、Ｔが環境の温度である、デバイス、
−  熱力学の第０法則、第２法則、または第３法則の１つまたは複数からの逸脱を達成するために、コヒーレント放射および波動関数の少なくとも部分的な崩壊を利用するデバイス、
−  熱力学の第０法則、第２法則、または第３法則の１つまたは複数からの逸脱を達成するために、状態の量子力学的重ね合わせおよび波動関数の少なくとも部分的な崩壊を利用するデバイス、
−  システム内の波または粒子のエネルギー分布の密度の不均一性を発生させるかまたは高めるために、コヒーレント放射および波動関数の少なくとも部分的な量子物理学的崩壊、または、状態の量子力学的重ね合わせおよび波動関数の少なくとも部分的な崩壊を利用するデバイス、
−  熱平衡の状態から脱するようにシステムを移行させるために、コヒーレント放射および波動関数の少なくとも部分的な量子物理学的崩壊、または、状態の量子力学的重ね合わせおよび波動関数の少なくとも部分的な崩壊を利用するデバイス、
−  １つの物体内またはいくつかの物体の間に温度差を発生させるために、コヒーレント放射および波動関数の少なくとも部分的な量子物理学的崩壊、または、状態の量子力学的重ね合わせおよび波動関数の少なくとも部分的な崩壊を利用するデバイス、
−  干渉計を備えたデバイス、
−  加熱、冷却、物質移送、エネルギー移送、または発電を実行するデバイス、
の１つまたは複数における、
請求項１から請求項５のいずれか１項に記載の１つまたは複数の量子デバイスの使用。
【請求項７】
前記デバイスが、０Ｋ〜５０００Ｋの範囲内の温度で動作する、
請求項６に記載の使用。
【請求項８】
前記デバイスの少なくとも一部が、熱以外のエネルギー入力、特に、電磁波、電子、中性粒子、またはイオンによる、熱以外の放射、を受ける、請求項６に記載の使用。
【請求項９】
前記デバイスが、量子領域において浴に結合されていない、または浴と絡み合っていない、
請求項６に記載の使用。
【請求項１０】
前記デバイスが、システム内の波または粒子のエネルギー分布、運動量分布、または角運動量分布の密度の不均一性を発生させるかまたは高めるために、コヒーレント放射および波動関数の少なくとも部分的な量子物理学的崩壊、または、状態の量子力学的重ね合わせおよび波動関数の少なくとも部分的な崩壊を利用する、
請求項６から請求項９のいずれか１項に記載の使用。
【請求項１１】
前記エネルギー分布、前記運動量分布、または前記角運動量分布が、少なくとも部分的に熱エネルギーによって生成される、
請求項１０に記載の使用。
【請求項１２】
波動関数の前記少なくとも部分的な量子物理学的崩壊が、巨視的物体（macroscopic body）の使用によって達成され、前記巨視的物体が、例えば固体、液体、気体、またはプラズマであってよい、
請求項６から請求項１１のいずれか１項に記載の使用。
【請求項１３】
前記少なくとも部分的な量子物理学的崩壊および波動関数の少なくとも部分的な吸収の後、前記物体による波の統計的再放出が起こる、
請求項６から請求項１２のいずれか１項に記載の使用。
【請求項１４】
少なくとも部分的に量子物理学的に崩壊した波が、ランダムな位相を有する別の波に統計的に置き換わる、
請求項６から請求項１３のいずれか１項に記載の使用。
【請求項１５】
前記デバイスが、生成された放射密度の不均一性または生成された温度差を、電気、放射、光エネルギー、または他の形態のエネルギーに変換することによって、または達成された秩序を別の方法で使用することによって、有用な仕事を生み出す、
請求項６から請求項１４のいずれか１項に記載の使用。
【請求項１６】
前記デバイスが、１つの物体内で、またはいくつかの物体の間で、質量、粒子、エネルギー、熱、運動量、角運動量、電荷、または磁気モーメントを移動させる、
請求項６から請求項１５のいずれか１項に記載の使用。
【請求項１７】
前記デバイスが、エネルギー、波、または物質の格納システム、例えばキャパシタまたはバッテリ、を満たす、
請求項６から請求項１６のいずれか１項に記載の使用。
【請求項１８】
前記デバイスが、物体、波、または波の集合体（ensembles of waves）を加熱する、または冷却する、
請求項６から請求項１７のいずれか１項に記載の使用。
【請求項１９】
例えば追加で設けられる加熱機能または冷却機能を使用することによって、前記デバイスの前記物体の１つまたはいくつかが、室温とは別の基準温度において動作する、
請求項６から請求項１８のいずれか１項に記載の使用。
【請求項２０】
前記デバイスの動作を制御するために、内部または外部で生成される少なくとも１つの信号が使用される、
請求項６から請求項１９のいずれか１項に記載の使用。
【発明の詳細な説明】
【技術分野】
【０００１】
本開示は、２つ以上の物体（body）を新しい平衡状態に移行させるために、量子波の崩壊、量子波の干渉、および量子波の選択的吸収を利用する、伝達構造を備えた非相反量子デバイスに関する。さらに本開示は、そのような量子デバイスを動作させる方法と、多数の異なるデバイスにおける１つまたは複数のそのような量子デバイスの使用に関する。
【背景技術】
【０００２】
以下の説明では、次の文書を参照する。
１．  非特許文献１
２．  特許文献１
３．  特許文献２
４．  非特許文献２
５．  非特許文献３
６．  非特許文献４
７．  非特許文献５
８．  非特許文献６
９．  非特許文献７
１０．  非特許文献８
１１．  非特許文献９
１２．  非特許文献１０
１３．  非特許文献１１
１４．  非特許文献１２
１５．  非特許文献１３
１６．  非特許文献１４
【０００３】
特許文献１には、コヒーレンスフィルタを使用して量子波を変化させることによって熱力学の第２法則を破る非相反量子デバイスが開示されている。本発明は、コヒーレンスフィルタの使用に頼るのではなく、量子波の崩壊、量子波の干渉、および量子波の選択的吸収のみを利用する、より単純なデバイスによって、同様に熱力学の第０法則および第２法則、ならびに熱力学の第３法則を破る方法を示す。本明細書に開示されているデバイスは、コヒーレンスフィルタを必要としないにもかかわらず、多くの特徴およびデバイスの機能の多くの部分において、特許文献１に開示されているデバイスに似ている。
【先行技術文献】
【特許文献】
【０００４】
【特許文献１】欧州特許出願第18180759.5号「A Non-reciprocal Device Comprising Asymmetric Phase Transport of Waves」（D. Braak、J. Mannhart）（本出願の優先日の時点ではまだ公開されていない）
【特許文献２】欧州特許出願第18159767.5号「Non-reciprocal Filters for Matter Waves」（J. Mannhart）（本出願の優先日の時点ではまだ公開されていない）
【非特許文献】
【０００５】
【非特許文献１】J. Mannhart, J. Supercond. Novel. Magn. 31, 1649 (2018)
【非特許文献２】M. Planck, Verhandlungen der Deutschen Physikalischen Gesellschaft 2, 245 (1900)
【非特許文献３】J.C. Maxwell, Theory of Heat, Longmans, Green, and Co. (1871)
【非特許文献４】V. Capek and D.P. Sheehan, “Challenges to the Second Law of Thermodynamics”, Springer 2005
【非特許文献５】C. Cohen-Tannoudji, J. Dupont-Roc, G. Grynberg, Atom-Photon Interactions, Basic Processes and Application, Wiley-VCH (2004)
【非特許文献６】R. Loudon, The Quantum Theory of Light, Oxford Science Publications, Third Edition (2000)
【非特許文献７】Y. Imry, "Introduction to Mesoscopic Physics", Oxford University Press (2002)
【非特許文献８】Th. M. Nieuwenhuizen, A.E. Allahverdyan, Phys. Rev. E, 036102 (2002)
【非特許文献９】L.E. Reichl, “A Modern Course in Statistical Physics”, E. Arnold, 1980
【非特許文献１０】Z. Merali, Nature 551, 20, (2017)
【非特許文献１１】K. Maruyama, F. Nori, V. Vedral, Rev. Mod. Phys. 81, 1 (2009)
【非特許文献１２】J. Johnson, Phys. Rev. 32, 97 (1928)
【非特許文献１３】H. Nyquist, Phys. Rev. 32, 110 (1928)
【非特許文献１４】E. Fermi, "Thermodynamics", Dover Publications, 1956
【非特許文献１５】I. Soellner et al.: “Deterministic photo-emitter coupling in chiral photonic circuits”, NATURE TECHNOLOGY, vol. 10, no. 9, 1 September 2015, pages 775-778
【発明の概要】
【課題を解決するための手段】
【０００６】
本開示の第１の態様によれば、量子デバイスは、少なくとも第１のポートと第２のポートの間に接続されている伝達構造を備えており、この伝達構造は、ポート間の量子波の非相反性運動を達成するために、量子波の崩壊、干渉、および選択的吸収を実施するように設計されている。
【０００７】
本量子デバイスの一実施形態によれば、本量子デバイスはフォトニックデバイスを備えている、またはフォトニックデバイスから構成され、量子は光子である。以下に説明する量子デバイスの実施形態のいくつかは、フォトニックデバイスとしての量子デバイスに関連し、すなわち本デバイスの素子は光学素子からなる。しかしながら本量子デバイスは、後から詳しく示すように例えば電子など別の種類の量子によって実施することもできることを理解されたい。
【０００８】
第１のポートおよび第２のポートは、第１の量子波を放出し、伝達構造は、第１の量子波のための波スプリッタ（wave splitter）を含むことができる。さらに、本デバイスは、第１の量子波を一部を吸収して第２の量子波として再放出するシステムを備えていることができる。本デバイスは、干渉する第２の量子波が一方のポートに優先して送られるように、波スプリッタとの相互作用を介して第２の量子波の間の干渉を発生させるシステム、をさらに備えていることができる。
【０００９】
本量子デバイスの一実施形態によれば、上に述べたシステムは、少なくとも１つの一次元伝達構造または少なくとも一次元伝達構造によって形成することができる。この伝達構造は、その中心に実在物（entity）を含み、この実在物は、単一原子、複数の単一原子または分子、または超放射（superradiance）の有無にかかわらず単一原子の挙動によって特徴付けられる特徴的な挙動を有する多数の原子、分子、または粒子、とすることができる。この実在物は、より大きな質量ｍに有利に取り付けることができ、したがって量子波の吸収または放出時、運動量の保存および大きな値ｍの理由で構造の速度変化を無視することができる。実在物は、原子と同じように波を吸収および放出することのできる、例えば色中心などの１つまたは複数の欠陥を含む固体によって形成することができる。いずれにしても実在物は、原子と同じように波を吸収および放出することのできる任意のものとすることができる。したがって以下において用語「原子」は、用語「システム」の代わりに、またはその同義語としても使用される。
【００１０】
本量子デバイスの一実施形態によれば、上に述べた波スプリッタは、例えば片面が薄い誘電体膜などのコーティングによって覆われたガラスから作製されている透明板を備えた半透明ミラーによって形成することができる。コーティングの特性は、ミラーが、入射する放射の半分を反射して残りの半分を通過させ、かつ、ミラーが、図２および以下の付随する説明に詳述されているように位相変化を引き起こすように、選択される。
【００１１】
第１の態様に係る量子デバイスの一実施形態によれば、本量子デバイスはフォトニックデバイスから構成され、量子は光子である。本量子デバイスは、第１の黒体放射体および第２の黒体放射体をさらに備えており、黒体放射体の各々は、第１の黒体放射体および第２の黒体放射体から放出された放射が半透明ミラーのそれぞれ反対側の面に入射し、次いで半透明ミラーによって部分的に反射および透過されるように、第１のポートおよび第２のポートの１つに配置されている。本量子デバイスは、第１および第２の（高い反射性または通常の反射性の）ミラーをさらに備えており、これらのミラーは、半透明ミラーから来る透過波および反射波が第１のミラーおよび第２のミラーに入射し、反射ビームがシステム（「原子」）内またはシステムの近くで互いに干渉するように第１のミラーおよび第２のミラーによって反射されるように、配置されている。
【００１２】
第１の態様に係る量子デバイスの一実施形態によれば、本量子デバイスは、電子デバイスを備えている、または電子デバイスから構成されており、量子は電子である。波スプリッタは、非対称トンネル接合から構成することができ、原子またはシステムは、３端子接合から構成することができる。第１のポートおよび第２のポートに、抵抗器とキャパシタの第１の直列接続および第２の直列接続を設けることができ、そのような直列接続は、第１の量子波を供給するように構成されている。このような実施形態のさらなる詳細は図示してあり、後から説明する。
【００１３】
本開示の第２の態様によれば、第１の態様に係る量子デバイスを動作させる方法は、量子デバイスに第１の量子波を供給するステップを含み、第１の量子波は、熱源から得られるエネルギーを有する量子、または０＜Ｅ＜１００ｋＴ（Ｔは環境の温度）であるような次数（order）ｋＴのエネルギーＥを有する量子を含む。
【００１４】
第２の態様に係る方法の一実施形態によれば、本量子デバイスは、フォトニックデバイスを備えている、またはフォトニックデバイスから構成されており、量子が光子であり、第１の量子波を供給するステップが、第１のポートに第１の黒体放射体、第２のポートに第２の黒体放射体を設けるステップを含む。
【００１５】
第２の態様に係る方法の一実施形態によれば、本量子デバイスは、電子デバイスを備えている、または電子デバイスから構成されており、量子が電子であり、第１の量子波を供給するステップが、抵抗器とキャパシタの第１の直列接続および第２の直列接続をそれぞれ第１のポートおよび第２のポートに設けるステップを含む。
【００１６】
本開示の第３の態様によれば、第１の態様に係る１つまたは複数の量子デバイスは、
第１の波が、熱源から得られるエネルギーを有する量子、または０＜Ｅ＜１００ｋＴ（Ｔは環境の温度）であるような次数ｋＴのエネルギーＥを有する量子を含む、デバイス、
熱力学の第０法則、第２法則、または第３法則の１つまたは複数からの逸脱を達成するために、コヒーレント放射および波動関数の少なくとも部分的な崩壊を利用するデバイス、
熱力学の第０法則、第２法則、または第３法則の１つまたは複数からの逸脱を達成するために、状態の量子力学的重ね合わせ（quantum-mechanical superposition）および波動関数の少なくとも部分的な崩壊を利用するデバイス、
システム内の波または粒子のエネルギー分布の密度の不均一性を発生させるかまたは高めるために、コヒーレント放射および波動関数の少なくとも部分的な量子物理学的崩壊、または、状態の量子力学的重ね合わせおよび波動関数の少なくとも部分的な崩壊を利用するデバイス、
熱平衡の状態から脱するようにシステムを移行させるために、コヒーレント放射および波動関数の少なくとも部分的な量子物理学的崩壊、または、状態の量子力学的重ね合わせおよび波動関数の少なくとも部分的な崩壊を利用するデバイス、
１つの物体内またはいくつかの物体の間に温度差を発生させるために、コヒーレント放射および波動関数の少なくとも部分的な量子物理学的崩壊、または、状態の量子力学的重ね合わせおよび波動関数の少なくとも部分的な崩壊を利用するデバイス、
１つの物体内またはいくつかの物体の間に、圧力、運動量、角運動量、電気特性、磁気特性など温度以外のパラメータの差異を発生させるために、コヒーレント放射および波動関数の少なくとも部分的な量子物理学的崩壊、または、状態の量子力学的重ね合わせおよび波動関数の少なくとも部分的な崩壊を利用するデバイス、
加熱、冷却、物質移送、エネルギー移送、または電力変換を実行するデバイス、
の１つまたは複数において実施または使用される。
【００１７】
上の第３の態様の一実施形態によれば、第１の態様の量子デバイスを、量子デバイス内に蓄積する温度差から電力を生成するように構成されているデバイスに結合することができる。そのようなデバイスは、例えば、温度差を電力に変換する目的で、２つのポート、特に、２つのポートに配置された２つの黒体放射体に接続する（すなわち熱的に結合する）ことができる熱電対、を備えていることができる。
【００１８】
当業者には、以下の詳細な説明を読み、添付の図面を考慮することにより、追加の特徴および利点が認識されるであろう。さらに当業者には、開口部、レンズ、ミラーなどのさらなる光学部品を、本デバイスの機能を妨げることなく、あるいは本発明の趣旨を変更することなく、本デバイスに追加できることが理解されるであろう。
【００１９】
添付の図面は、例を深く理解できるようにする目的で含まれており、本明細書に組み込まれており、本明細書の一部を構成している。これらの図面は、例を図解しており、明細書の説明と合わせて例の原理を説明する役割を果たす。別の例および例の意図された利点の多くは、以下の詳細な説明を参照することによってこれらが深く理解されるにつれて、容易に認識されるであろう。
【図面の簡単な説明】
【００２０】
【図１】図１は、導波路または光ファイバなどの一次元伝達構造内に埋め込まれた、量子波（例えば光子またはフォノンとすることができる）の放射体の象徴的な表現を示している。さらに図１は、放射体によって放出されて、２つの部分波の量子力学的重ね合わせとして伝達構造の左側および右側に同時に移動する量子波も示している。
【図２】図２は、図２Ａ、図２Ｂ、図２Ｃ、および図２Ｄを含み、右側面に誘電体コーティングを有する非対称の半透明ミラーを示している。この図は、さまざまな方向からさまざまな位相シフトを伴ってミラーに到達する量子波の透過および反射を示している。
【図３】図３は、本発明の第１の態様に係る量子デバイスの一実施形態を示している。このデバイスは、２つの黒体放射体によって提供される２つのポートＡ，Ｂと、図２による非対称の半透明ミラーＨＴＭを含む量子波の伝達構造と、２つの標準ミラーＳＭ１，ＳＭ２と、図１に示したように放射体の役割を果たす位置Ｒに位置決めされた粒子Ｍの配置とを備えている。
【図４】図４は図４Ａ〜図４Ｃを含み、電子波を実施する本発明に係るデバイスを指す。図４Ａは、この例示的なデバイスにおいて非対称のビームスプリッタの役割を果たす非相反トンネル接合の図解を示している。図４Ｂは、原子Ｍ（登録商標）の類似体として機能する構成Ｍの実現を示しており、図４Ｃは、完全なデバイスの１つの可能な実施形態を示している。
【図５Ａ−５Ｂ】図５は図５Ａ〜図５Ｄを含み、図３によるデバイスの、時間の関数として計算された挙動を示している。図５ＡはポートＡおよびポートＢの光子密度、図５Ｂは粒子配列Ｍ（Ｒ）における励起状態の数を示している。
【図５Ｃ−５Ｄ】図５は図５Ａ〜図５Ｄを含み、図３によるデバイスの、時間の関数として計算された挙動を示している。図５ＣはポートＡおよびポートＢの対応する温度、図５Ｄはシステム全体のエントロピーを示している。
【発明を実施するための形態】
【００２１】
以下の説明では、語「結合された」および語「接続された」が、活用形とともに使用されることがある。これらの語は、２つの要素が物理的または電気的に直接接触しているか、または物理的または電気的に直接接触していない（すなわち２つの要素の間に１つまたは複数の中間要素が存在することができる）かに関係なく、２つの要素が互いに協働するかまたは相互作用することを示すために使用されうることを理解されたい。
【００２２】
以下では、用語「吸収体」、「放射体」、または「吸収体／放射体」が使用されることがある。これらの用語は、任意の種類の波、粒子および準粒子、および任意の種類の放射を吸収または放出しうる任意の種類の要素として理解されたい。これらの用語は特に黒体放射体（次段落を参照）を指すが、例えば電子を吸収または放出しうる抵抗器も指す。
【００２３】
本開示では、用語「黒体」および用語「黒体放射体」が、派生語とともに使用されることがある。この用語は、熱放射を放出または吸収しうる固体、液体、気体、またはプラズマも含めて、広い意味での物体を指すために使用されるが、必ずしも教科書の意味における黒体ではないことを理解されたい。特に、これらの物体は、必ずしも熱平衡にある必要はなく、キルヒホッフの法則に従う必要もない。これらの物体は１００％の黒体でなくてよく（そのような物体は存在しない）、小さい開口部を有する中空体からなる教科書にあるような黒体放射体として設計することができ、そうでなくてもよい。
【００２４】
用語「波」は、量子オブジェクトに関連する任意の波（例えば、光子の波、粒子または準粒子のドブロイ波）を表すために使用される。考慮される波は、量子力学的に記述されなければならない基本的な相互作用プロセスにおいて形成／変更され、例えば非特許文献５に詳述されているような条件下で量子力学的崩壊を受けうる。これに加えて、用語「波」は、波束（例えばガウスエンベロープ関数を有する波束）も含む。
【００２５】
用語「崩壊」は、量子力学的状態の、少なくとも部分的に位相を破壊するデコヒーレンス（decoherence）を引き起こす任意のプロセスを表すために使用される。
【００２６】
以下で量子デバイスを説明および特許請求するとき、用語「量子デバイス」は、広義かつ広範囲に理解されるべきであることに留意されたい。本明細書において明らかにされるデバイスの機能に関しては、そのようなデバイスは、基本的に、物質波または電磁波（例えば、光子、粒子波、準粒子波）のデバイスとして機能する。構造に関しては、そのようなデバイスは、例えば、光伝送経路、電磁導波路、電線または電気の線が、集積回路技術を含むさまざまな技術的方法によって作製される人工構造または人によって作製される構造として理解することができる。しかしながら、そのようなデバイスは、例えば、分子、分子化合物、側基を有するベンゼン環などの分子環のような化学成分からなる、または化学成分を含むものと理解することもできる。さらに、そのようなデバイスは、例えばデバイスの機能を実現する結晶構造を有する固体化合物、またはそのような結晶構造において、または結晶構造から作製される構造を指すことができる。
【００２７】
さらに、用語「伝達経路」は、物体（material body）として理解することができるが、必ずしもそのように理解しなくてもよい。いくつかのデバイスでは、物体（例えば１本のワイヤまたは導波路）は、１つの伝達経路を備えることができる。別のいくつかのデバイスでは、そのような物体は、２つの透過経路（すなわち物体を通って伝播する粒子の２つの反対方向）を備えることができる。別のいくつかのデバイスでは、この用語は、特定の材料から作製された有形体または物体として理解されるべきではない。この用語はむしろ、空間内の粒子または波の仮想経路として理解されるべきであり、例えばガス雰囲気中に配置された仮想経路でもよい。
【００２８】
同様に、用語「原子」は、単一の原子または分子を指しうるが、超放射の有無にかかわらず、単一原子の挙動によって特徴付けられる特徴的な挙動を有する多数の原子、分子、または粒子を指すこともある。この用語は、原子と同じように波を吸収および放出することのできる固体の欠陥（例えば色中心）も含む。原子は、単一原子の質量よりもずっと大きい質量ｍに固定することもできる。
【００２９】
また用語「ランダム」は、本明細書では、完全にランダムな性質のプロセスを記述する以外にも使用される。この用語は、例えば、不規則な位相を有する波の間の干渉イベントが大幅に抑制されるほどに非常に不規則な位相の分布を記述するためにも使用される。
【００３０】
さらに、用語「位相コヒーレント」は、非弾性の位相破壊散乱がデバイス内で起こらないことを必ずしも意味しない。実際に、非特許文献７に示されているように、例えばフォノンによるいくらかの非弾性散乱は、散乱によって影響されない波の部分の位相コヒーレンスと両立し、有益なことがあり、場合によってはデバイスの動作に必要なこともある。したがって用語「位相コヒーレント」は、デバイス内の粒子の透過の非弾性の位相破壊散乱が存在しないことを含むものとして、または位相破壊散乱イベントによって影響されない位相を有する波の一部が残る場合、そのようなイベントの存在も含むものとして、理解されたい。
【００３１】
さらに、用語「半透明」は、デバイスの透過率が正確に５０％であることを必ずしも意味しない。そうではなく、この用語は、０％から１００％の間の透明度を有する部分的に透明な物体を記述するようにも意図されている。
【００３２】
さらに、１つまたは複数の量子デバイス、あるいは１つまたは複数の量子デバイスの使用に関連して言及される任意の特徴、注釈、または説明は、量子デバイスを機能させるためのそれぞれの方法の特徴または方法ステップも開示するものとして、または、量子デバイスを任意の種類のより大きなデバイスまたはシステムに実装し、そのようなより大きなデバイスまたはシステムがその所望の機能を果たすように量子デバイスを駆動するためのそれぞれの方法の特徴または方法ステップも開示するものとして、理解されたい。
【００３３】
図１は、一次元伝達構造１１に埋め込まれた、上に指定した意味における原子１０の表現を示しており、一次元伝達構造１１は、原子１０が２つの反対方向のみに波を放出できるように構成されている。位置Ｒに配置されている原子Ｍは、図面に２つの部分波１２，１３によって描いたように、伝達構造の左側と右側に同時に移動する光子を放出する。これらの部分波は、例えば、平面波または波束（ガウス分布でよい）によって形成することができる。波１２および波１３は、それぞれ位相
【数１】
2022500904.tif 000003
および
【数２】
2022500904.tif 000004
によって特徴付けられ、ｒは空間座標、ｔは時間である。２つの位相の差
【数３】
2022500904.tif 000005
は、測定可能な量である。
【００３４】
図２は、非対称の半透明ミラーＨＴＭ（２０）を示している。図２に示したケースでは、半透明ミラーは、右側を向いた面が例えば誘電体コーティング２０．２によって覆われている例えばガラスから作製された透明板２０．１から構成されている。コーティングの特性は、図２Ａ〜図２Ｄに示したように、入射する放射の半分をミラーが反射し、残りの半分を通過させるように、選択される。このようなミラーは光学において一般に使用され、例えば非特許文献６や非特許文献５に記載されている。図２Ａは、ポートＡからビームスプリッタＨＴＭに入射する位相
【数４】
2022500904.tif 000006
の波が、同じ位相
【数５】
2022500904.tif 000007
を有する２つの部分波に分割されることを説明している。図２Ｂは、ポートＢからビームスプリッタに入射する位相
【数６】
2022500904.tif 000008
の波が、スプリッタによって、位相差Φ＝πを有する２つの部分波に分割されることを示している。
【００３５】
図２Ｃおよび図２Ｄは、ポートＣおよびポートＤからビームスプリッタに到達する２つの部分波が、ビームスプリッタによって合成されることを示している。入射する部分波の位相差ΦがΦ＝０であるかΦ＝πであるかに応じて、合成された波は、図Ｃに示したようにスプリッタからポートＡの方に進む、または図Ｄに示したようにポートＢの方に進む。
【００３６】
Φの他の値の場合、波は、Φに依存する透過確率でそれぞれポートＡとポートＢに分配される。この確率は、等式８によって与えられる。
【００３７】
図３は、実際に機能するデバイスの原理を説明している。この図は、２つの同じ黒体放射体Ａ（３１）およびＢ（３２）が、図２に説明したような非対称の半透明ミラーＨＴＭ（３３）に伝達構造によって結合されていることを示している。半透明ミラー３３によって反射された量子波、または半透明ミラー３３を通過した量子波は、２つの標準ミラー３４，３４によって、図１で説明したような一次元伝達路内に配置されている原子Ｍ上に導かれる。原子は、放射の波長よりもずっと高い精度で位置Ｒに配置されており、位置Ｒは、例えばデバイスの左右対称面に位置している。位置Ｒは、ＨＴＭ（３３）から位置Ｒまでの２本のビーム経路の長さが、放射の波長λよりもずっと小さい精度（例えば１／１０λ以下、１／２０λ以下、１／５０λ以下、）において等しい（またはｎ×λだけ異なる、ｎ＝１，２，．．．、λは波長）ように決められている。これにより、ＨＴＭ（３３）から放出されてミラー３４によって反射される第１の波と、ＨＴＭ（３３）から放出されてミラー３５によって反射される第２の波とが、最良の条件で位置Ｒにおいて干渉する。
【００３８】
以下の段落［００３８］〜段落［００４０］では、デバイスの機能について説明する。それに続く段落［００４４］〜段落［００５４］では、デバイスの動作の簡単な概要を説明する。
【００３９】
Ａ）デバイスの動作の概要
黒体放射体Ａ（３１）の熱放射によって放出される第１の量子波は、半透明ミラーＨＴＭ（３３）を通過し、図２Ａで説明したように、位相差Φ＝０で原子Ｍ（Ｒ）（３６）上に集中する。この波の一部はＭ（Ｒ）によって吸収される。このプロセスにおいて原子Ｍ（Ｒ）は、誘導によって、および自発的な放射によって、第２の量子波（光子、フォノンなど）を放出する。乱されることなくＭ（Ｒ）（３６）を通過する波束と、誘導放出によって生じる波束と、自発的に放出される波束の一部は、位相差Φ＝０を有する。これらの波は、半透明ミラーＨＴＭ（３３）を通過した後に黒体Ａに到達する。しかしながらＭ（Ｒ）（３６）の自発的な放射によって生じる第２の波束の対の一部は、位相差Φ≠０を有する。したがってこれらの波の一部はポートＢ（３２）に到達する。Ｍ（Ｒ）（３６）による波束の吸収および再放出は、量子力学的崩壊プロセスを表し、半透明ミラーによるこれらの波束の重ね合わせは、状態の量子力学的重ね合わせの作用である。
【００４０】
黒体放射体Ｂ（３２）の熱放射によって放出される量子波は、ミラーを通過し、図２Ｂで説明したように、位相差Φ＝πで原子３６上に集中する。この位相差Φ＝πのため、量子波は原子の位置において弱め合うように干渉する。したがってこの波は原子と相互作用することができず、変化することなく原子を通過する。位相差がΦ＝πのままであるため、波のすべてが半透明ミラー３３によって黒体Ｂに導かれ、黒体Ｂにおいて吸収される。
【００４１】
ＡおよびＢ（すなわちポート３１およびポート３２）によって放出される波を合計すると、明らかに、Ａ（３１）によって放出される波の一部がＢ（３２）に導かれる。しかしながらＢ（３２）によって放出される波のすべては、反射されてＢ（３２）に戻る。Ｂによって放出された量子波はＡに到達しない。ＡおよびＢは等しい数の量子波を放出するため、このデバイスは、ＡからＢへの量子波の完全な移送をもたらす。したがって２つのポート３１，３２の間の量子波の運動は非相反性である。３１に移動する量子波の流れと３２に移動する量子波の流れが異なるため、３１および３２は、異なる量のエネルギーおよび運動量を受け取り、波が中心に当たらない場合に異なる量の角運動量も受け取る。これらの変化に起因して、これらの物体のさらなる特性（温度、圧力、電子的特性、光学特性、磁気特性など）が変化しうる。
【００４２】
Ｂ）デバイスの動作の説明
黒体ＡおよびＢ（３１および３２）によって周波数
【数７】
2022500904.tif 000009
で放出される第１の１光子量子波状態（first 1-photon quantum wave states）は、非対称のビームスプリッタＨＴＭ（３３）によって１光子状態に変換され、したがってＲにおいてこれらは次式によって与えられる。
【数８】
2022500904.tif 000010
量子波の偏光（polarization）はデバイスの動作に何らの役割も果たさないため、偏光指数は削除されている。
【００４３】
ビームスプリッタＨＴＭ（３３）の作用は、２×２ユニタリー行列によって記述される。
【数９】
2022500904.tif 000011
いま、リザーバーＡ，Ｂ（３１，３２）から来る、ビームスプリッタの入力モードを、
【数１０】
2022500904.tif 000012
と表す。干渉により、ＨＴＭは、
【数１１】
2022500904.tif 000013
によって記述されているように、これらを出力モード
【数１２】
2022500904.tif 000014
にマッピングする［非特許文献６，ｐ２１２］。
【００４４】
２レベルシステムＭ（Ｒ）との量子波モードの相互作用のハミルトニアンは、以下である［非特許文献６，ｐ１６８］。
【数１３】
2022500904.tif 000015
式中、
【数１４】
2022500904.tif 000016
は、原子ｊ＝１．．．Ｍを備えた２レベルシステム３６の励起（破壊）演算子を表し、
【数１５】
2022500904.tif 000017
は、モードｋの消滅（生成）演算子を表す。原子の励起（基底）状態は
【数１６】
2022500904.tif 000018
であり、
【数１７】
2022500904.tif 000019
と
【数１８】
2022500904.tif 000020
の間のエネルギー差は
【数１９】
2022500904.tif 000021
に等しく、光モードの周波数は
【数２０】
2022500904.tif 000022
である。ショートカットｈ．ｃ．は、随伴行列（hermitian conjugate）を設計する。
【００４５】
Ｍの原子ｊが、Ａ（またはＢ）から来る波によって照射される場合の吸収の確率は、次の行列要素によって与えられる。
【数２１】
2022500904.tif 000023
したがって
【数２２】
2022500904.tif 000024
かつ
【数２３】
2022500904.tif 000025
である。初期状態が
【数２４】
2022500904.tif 000026
または
【数２５】
2022500904.tif 000027
（誘導放出に対応する）に等しい場合、類似する結果が得られる。量子波の吸収により崩壊プロセスが起こる。
【００４６】
Ａからの放射（第１の波）は原子Ｍ（Ｒ）と相互作用するのに対して、Ｂからの光は、乱されることなくＭ（Ｒ）（３６）を通過する。状態
【数２６】
2022500904.tif 000028
がビームスプリッタに再び到達し、ビームスプリッタにおいて（逆の運動量の）状態
【数２７】
2022500904.tif 000029
に変換される（なぜなら
【数２８】
2022500904.tif 000030
）。
【００４７】
この考察から明らかであるように、Ｂによって放出されるすべての放射は、Ｍ（Ｒ）（３６）の存在によって影響されることなく、再びＢに達する。対照的に、
【数２９】
2022500904.tif 000031
である場合、Ａからの放射はＭ（Ｒ）と相互作用する。
【００４８】
状態
【数３０】
2022500904.tif 000032
は、自発的な放出によって、周波数
【数３１】
2022500904.tif 000033
の１光子状態（すなわち第２の波を形成する状態）に減衰する（decay）。
【数３２】
2022500904.tif 000034
ここで、
【数３３】
2022500904.tif 000035
かつ
【数３４】
2022500904.tif 000036
である。
【００４９】
このプロセスの確率は次に比例する。
【数３５】
2022500904.tif 000037
【００５０】
これらの考察から明らかであるように、モード
【数３６】
2022500904.tif 000038
への放出は存在しない。この挙動は、このような量子波がＭ（Ｒ）によって吸収されないという事実に一致しており、この独特な重ね合わせの個別釣合い条件（detailed balance condition）に対応する。
【００５１】
したがって次式が見つかる。
【数３７】
2022500904.tif 000039
【００５２】
しかしながら、各コヒーレント重ね合わせに対して個別釣り合いが個別に満たされるが、ビームスプリッタ３３は、ＡとＢの間で状態
【数３８】
2022500904.tif 000040
を次のように分配する。
【数３９】
2022500904.tif 000041
結果として、Ｍ（Ｒ）によって自発的に放出される量子波の１９／３０が黒体Ａに到達し、１１／３０が黒体Ｂに到達する。
【００５３】
これらの考察から明らかであるように、Ａによって励起される２レベルシステムＭ（Ｒ）を介して、エネルギーがＡからＢに優先的に転送される。
【００５４】
システムの対応する反応速度式は次式によって与えられる。
【数４０】
2022500904.tif 000042
【数４１】
2022500904.tif 000043
【数４２】
2022500904.tif 000044
ここでＡ１２、Ｂ１２、およびＢ２１はアインシュタイン係数である。ＭｅはＭ（Ｒ）（３６）の励起原子の数を表し、ｃは光速である。黒体３１および黒体３２の両方が導波路に結合されて波路に結合されており、単位時間あたり周波数
【数４３】
2022500904.tif 000045
の割合
【数４４】
2022500904.tif 000046
の量子波を放出する。
【００５５】
容易に理解されるように、これらの方程式の唯一の定常状態解は
【数４５】
2022500904.tif 000047
であり、これは、最終状態においてリザーバーＡ（３１）が完全に空であり、Ｍ（Ｒ）のすべての原子が基底状態を占めているのに対して、放射エネルギーおよび励起エネルギーが完全にリザーバー（Ｂ）（３２）に流れていることを意味する。したがって、ＡおよびＭ（Ｒ）（３６）の温度は０であるのに対して、リザーバーＢの温度は０より高い。
【００５６】
提示したデバイスの基本原理は、量子波の干渉、崩壊、および集合的吸収に依存しているため、電磁波ではなく物質波を利用するデバイスを実施することができる。以下では、図３のデバイスに類似する方法で動作する電子デバイスの１つの可能な実施形態を、図４に関連して例示的に提示する。物質波のための非相反デバイスが、非特許文献１および特許文献２に紹介されている。図３の３１，３２の役割を果たす電子源は、抵抗器とキャパシタの直列接続の各々から構成されている。抵抗器は、ジョンソン−ナイキストの式に従う電圧ノイズおよび電流ノイズを発生させる（非特許文献１２、非特許文献１３）。図３に示したデバイスの光子数の保存との類似性を促進するために、キャパシタが、回路内の電子数が一定であることを保証し、ただしこの要件は場合によっては厳密でなくてもよい。
【００５７】
非対称のビームスプリッタＨＴＭ（３３）の機能は、図４Ａに示したように非対称のトンネル接合によって達成されている。トンネル障壁は、両方向における電子の透過率が５０％に等しいように選択されている。図４Ａは、例として、左から障壁に到達する電子波４１．１を示しており、この電子波が２つの部分波に分割される。部分波４１．２は障壁４２を通過し、部分波４１．３は障壁によって反射される。（この例では）物質波に対する非相反性の移送特性を有する２つの異なる材料４２．１および４２．２からトンネル障壁４２が作製されていることと、結果として生じる界面４３の特性により、出ていく電子波４１．２と４１．３の間の位相シフトΦが、ＨＴＭ（３３）の場合と同様に、量子波４１．１が（描画されているように）左から障壁に衝突するか、または右から衝突するかによって決まることが保証される。
【００５８】
原子Ｍ（Ｒ）の機能は、図４Ｂに示したように３端子接合部４５によって生成される。接合部４５における量子波４４．１および４４．２の干渉は、その位相差Φの関数である。Φ＝πの場合には、４４．１および４４．２は４５において弱め合うように干渉し、したがってこれらの量子波は途切れずに流れ続ける。Φ≠ｎπ（ｎ＝．．．，−１，１，３，．．．）の場合には、波の一部が抵抗器Ｒに到達し、そこで崩壊する。崩壊イベントの数は、干渉の強め合う特性が増すにつれて増加する。熱雑音によって制御されるように、電子はＲによっても放出されて接合部４５に到達し、接合部４５はこれらを、導体４５．１によって与えられる連続状態を占める２つの部分波に分割する。フェルミの黄金律に従うと、これら２つの部分波が位相差Φを有する確率は１＋ｃｏｓΦである。したがって図４Ｃに示したデバイスは、図３に示したフォトニックデバイスと同様に動作する電子デバイスの一例である。
【００５９】
標準的なパラメータ（ｔ＝０でのＡおよびＢにおける光子数：５×１０５、Ｍ（Ｒ）における原子数：１００、ｔ＝０でのＭ（Ｒ）内の励起された原子の数：１、γ＝１０−４、Ａ２１＝Ｂ１２＝Ｂ２１＝１０−３）の場合に数値計算された反応速度式（等式９〜１１）の解は、図５Ａ〜図５Ｄに示してある。
【００６０】
図５Ａは、時間の関数としての、黒体Ａおよび黒体Ｂにおける光子の数ｎＡおよびｎＢを示している。図に示されているように、ＡとＢの量子波の数が等しい標準的な熱平衡に対応する初期状態は、システムによって維持されない。そうではなく、Ａのすべての光子がＢに移動する。
【００６１】
図５Ｂは、時間の関数としての、Ｍ（Ｒ）内の励起された原子の数ｎＭを示している。図から明らかであるように、この数は１から飽和値５０まで上昇する。この時間の間、Ｍ（Ｒ）は光子をＡからＢに優先的に移動させる。Ａの光子がなくなると、Ｍ（Ｒ）内の励起された原子の数は０まで減少する。
【００６２】
図５Ｃは、時間の関数としての、黒体Ａおよび黒体Ｂにおける光子分布の温度ＴＡおよびＴＢを示している。図に示されているように、ＡとＢの温度が等しい標準的な熱平衡に対応する初期状態は、システムによって維持されない。そうではなく、Ａが０Ｋまで冷え、それに応じてＢが暖まる。
【００６３】
上に述べたように、Ａが冷えてＢが暖まり、したがってＡとＢの間に温度差が生じる。この温度差を利用して、例えば電力を生成することができる。これは例えば、熱電対デバイスを使用することによって、特に、異なる温度における電気接合を形成する２つの異なる導電体を備えた電気デバイスを使用することによって、行うことができる。したがってこのような熱電対デバイスは、熱電効果の結果として温度に依存する電圧を生成しうる。
【００６４】
最後に図５Ｄは、システム全体のエントロピーを示している。システムはその環境から熱的に隔離されており、開始条件はシステム全体で均一な温度である。それにもかかわらず、エントロピーが時間の関数として減少し、熱力学の第２法則の明らかな違反を示している。
【００６５】
なお、本発明の趣旨によって、本量子デバイスは、図３に示した以外の多数の構造を有し得ることをここで言及しておく。半透明ミラー、黒体、または原子は、別の方法で実施することができる。黒体は、例えば、熱的に励起されたフォノンを提供する物体など、熱的に励起された量子波の別のリザーバーによって提供することができる。半透明ミラーは、例えば、伝達経路の接合部を使用して量子波を分割して再合成する別のデバイスに置き換える、または例えばフォノンに作用するメタマテリアルに置き換えることができる。原子Ｍは、例えば、隣接するフォーク型接合部または分割部を有する導体中に粒子を放出するノイジーなリザーバーなど、量子波の崩壊および再放出を提供する別のシステムによって与えることもできる。デバイス全体が、例えば、分子または結晶性の固体または複雑な構造を有する固体内に実施されることも、現実的であると考えられる。
【００６６】
さらに、図３に示した伝達経路の形状も、１つの単純な実施形態を提示しているにすぎないことを言及しておく。経路はより複雑であってもよく、例えば空間の第３の次元を使用するいくつかのループを備えていてよい。さらに、追加の散乱体、非相反フィルター、またはさらなる黒体など、別の構成要素を含めることもできる。
【００６７】
本開示の第２の態様によれば、第１の態様に係る量子デバイスを動作させる方法は、第１の波を量子デバイスに供給するステップを含み、第１の波は、熱源から得られるエネルギーを有する量子、または０＜Ｅ＜１００ｋＴ（Ｔは環境の温度）であるような次数ｋＴのエネルギーＥを有する量子を含む。
【００６８】
第１の態様に係る量子デバイスを動作させる方法は、上記に代えて、または上記に加えて、第１の波の供給源を備えているとして定義することができ、第１の波の供給源の少なくとも１つは、環境に熱的に接触して保持されている。環境は、室温にある部屋のような自然な環境、または自由な自然の場所とすることができる。また、デバイスを含む空洞など、あるいは例えば水浴（water bath）や加熱炉によって提供される熱浴（thermal bath）などの人工的な環境とすることもできる。
【００６９】
第１の態様に係る量子デバイスを動作させる方法は、上記に代えて、または上記に加えて、第１の波の供給源を備えているとして定義することができ、第１の波の供給源は能動的に刺激されず、特に、熱以外のエネルギーによって能動的に刺激されず、したがって供給源を能動的に加熱または冷却することが可能である。
【００７０】
本デバイスの挙動は、熱力学の第０法則、第２法則、および第３法則が今日一般に理解されて非特許文献９などの教科書に提示されているようには、これらの法則に従わないことに留意されたい。第０法則に違反するのは、本デバイスを介して熱的に接触する２つの物体３１および３２が等しい温度を確立せずに温度差が生じるためである。一様な温度分布（すなわち最大エントロピーの状態）は不安定であり、したがってシステムはより低いエネルギー状態に移行し、これは第２法則に矛盾する。本デバイスは第３法則にも矛盾し、なぜなら物体３１が温度０Ｋを達成することができ、これは第３法則により物体において不可能であると理解されてきたためである。なお本デバイスは、縮退していないシステムのエントロピーが０Ｋにおいて０に等しいという第３法則の記述には矛盾しないことに留意されたい。第２法則との不一致は、例えば有名な物理学者であるエンリコ・フェルミなど何人かの専門家によって予測されていた（例えば非特許文献１４を参照）。非特許文献８には、量子物理学と熱力学の第２法則との間にいくらかの不一致を示すと主張されている仮想システムが記載されている。しかしながらこれらの著者によって指摘されているように、これらの状態はデコヒーレンスプロセスによって破壊されるため、不一致は極めて低い温度でのみ存在する量子力学的に絡み合った状態（quantum-mechanically entangled state）に限定される。さらに、絡み合い（entanglement）は多粒子タイプ（multi-particle type）でなければならない。これらの要件により、提案されたシステムは、実際に実施するには非現実的である。対照的に、本発明は、絡み合いに依存せず、単一粒子のコヒーレンス、崩壊プロセス、および干渉に依存する。
【００７１】
実際に何十年にもわたり、熱力学の第２法則に違反する、当時まだ架空のデバイスがどのような利点をもたらすかについて空想されてきた（非特許文献４）。
【００７２】
それにもかかわらず、専門家および一般の人によって知られているように（例えば非特許文献３、非特許文献１１、非特許文献４、非特許文献９を参照）、一般に第２種の永久機関として知られている、熱力学の第２法則を破る実用的な装置は、推測されているにすぎない。現在の議論は、非特許文献１０に要約されているように、絶対零度に近い温度で起こる量子効果（特に量子もつれ）を利用するデバイスが中心となっている。実用的なデバイスがどのように機能するかに関する発想が不足しているため、これらの研究では、推測から、実際に機能するデバイスに移行したことはない。実際、科学界のほとんどのメンバーは、そのようなデバイスは原則として構築されることはないと確信している。
さらに言及しておくべき点として、上に説明した量子デバイスおよびその用途は、熱浴（heat bath）への何らかの結合を必要としうる。単純なケースでは、熱浴は黒体３１，３２によって与えることができる。このような熱浴の媒体は、固体、液体、または気体とすることができる。デバイスは、熱浴の１つまたはいくつかからエネルギーを抽出し、その熱エネルギーを例えば１つまたはいくつかの別の熱浴に転送することができる。
【００７３】
さらに明らかな点として、上に説明したデバイスは、任意の有用な方法で一緒に接続することができる。これらのデバイスは、おそらくは、その出力を高めるために並列に動作するように実施することができる。同様に、デバイスを直列に動作させることができる。例えば、第１のデバイスによって冷却される、第１のデバイスの黒体Ｂ１に、第２のデバイスを熱的に接続することができ、したがって第２のデバイスの黒体Ｂ２は、黒体Ｂ１よりもさらに高い温度に加熱される。
【００７４】
量子崩壊によって駆動されるプロセスを容易に制御できることは、本発明のさらなる有用な面である。例えば、伝達経路の一部を遮断することによって、あるいは光学要素の１つまたは複数を動かす、または回転させることによって、プロセスを制御することができる。したがってシステムは、プロセスを制御するための１つまたは複数の入力端子を備えることができる。
【００７５】
本開示は、以下のさらなる態様にさらに関する。これらの態様は、以下に概説するようにそれぞれのデバイスが特定の機能を果たすように、第１の態様に係る量子デバイスを実施することのできるデバイスを指す。
【００７６】
本開示は、熱力学の第０法則、第２法則、または第３法則の１つまたは複数からの逸脱を達成するために、コヒーレント放射および波動関数の少なくとも部分的な崩壊を利用するデバイスにさらに関する。
【００７７】
本開示は、熱力学の第０法則、第２法則、または第３法則の１つまたは複数からの逸脱を達成するために、状態の量子力学的重ね合わせおよび波動関数の少なくとも部分的な崩壊を利用するデバイスにさらに関する。
【００７８】
上の態様のいずれか１つに係るデバイスは、０Ｋ〜５０００Ｋの範囲内の温度で動作しうる。
【００７９】
上の態様のいずれか１つに係るデバイスは、量子領域において浴（bath）に結合する、または浴と絡み合うことができ、またはそうでなくてもよい。
【００８０】
本開示は、システム内の波または粒子のエネルギー分布の密度の不均一性を発生させるかまたは高めるために、コヒーレント放射および波動関数の少なくとも部分的な量子力学的崩壊、または、状態の量子力学的重ね合わせおよび波動関数の少なくとも部分的な崩壊を利用するデバイス、にさらに関する。エネルギー分布は、熱エネルギーによって少なくとも部分的に生成されるエネルギー分布とすることができる。
【００８１】
本開示は、熱平衡の状態から脱するようにシステムを移行させるために、コヒーレント放射および波動関数の少なくとも部分的な量子物理学的崩壊、または、状態の量子力学的重ね合わせおよび波動関数の少なくとも部分的な崩壊を利用するデバイス、にさらに関する。
【００８２】
本開示は、１つの物体内またはいくつかの物体の間に温度差を発生させるために、コヒーレント放射および波動関数の少なくとも部分的な量子物理学的崩壊、または、状態の量子力学的重ね合わせおよび波動関数の少なくとも部分的な崩壊を利用するデバイス、にさらに関する。
【００８３】
上の態様のいずれか１つに係るデバイスにおいては、位相シフトは、本デバイスの少なくとも１つの非相反要素によって引き起こすことができる。
【００８４】
上の態様のいずれか１つに係るデバイスにおいては、波動関数の少なくとも部分的な量子物理学的崩壊は、巨視的物体の使用によって達成され、巨視的物体は、例えば固体、液体、気体、またはプラズマとすることができる。
【００８５】
上の態様のいずれか１つに係るデバイスにおいては、少なくとも部分的な量子物理学的崩壊および波動関数の少なくとも部分的な吸収の後、物体による波の統計的再放出（statistical reemission）が起こる。
【００８６】
上の態様のいずれか１つに係るデバイスにおいては、少なくとも部分的に量子物理学的に崩壊した波は、ランダムな位相を有する別の波に統計的に置き換わる、または波の位相がランダムな値に変化する。
【００８７】
上の態様のいずれか１つに係るデバイスにおいては、本デバイスは、生成された放射密度の不均一性または生成された温度差を、電気、放射、光エネルギー、または他の形態のエネルギーに変換することによって、または達成された秩序（order）を別の方法で使用することによって、有用な仕事を生み出す。
【００８８】
上の態様のいずれか１つに係るデバイスにおいては、本デバイスは、１つの物体内で、またはいくつかの物体の間で、質量、粒子、エネルギー、熱、運動量、角運動量、電荷、または磁気モーメントを移動させる。
【００８９】
上の態様のいずれか１つに係るデバイスにおいては、本デバイスは、エネルギー、波、または物質の格納システム（例えばキャパシタまたはバッテリ）を満たす。
【００９０】
上の態様のいずれか１つに係るデバイスにおいては、本デバイスは物体を加熱する、または冷却する。
【００９１】
上の態様のいずれか１つに係るデバイスにおいては、例えば追加で設けられる加熱機能または冷却機能を使用することによって、本デバイスの物体の１つまたはいくつかが、室温とは別の基準温度において動作する。
【００９２】
上の態様のいずれか１つに係るデバイスにおいては、プロセスを制御するために、内部または外部で生成される１つまたは複数の信号が使用される。
【００９３】
第２法則の明らかな違反に寄与する重要な要素は、複数の波束に分割された粒子状態の生成と、複数の波束状態の少なくともいくつかの量子力学的崩壊と、単一および複数の波束状態を干渉によって仕分けるステップであり、後者のステップは、波束のコヒーレンス特性を有用な出力信号に変換する。これらの堅牢な単一粒子プロセスは、スケーラブルであり、高温を含む広い温度範囲において機能し、標準的な部屋型の環境と互換性があり、多くの種類の量子波（電磁波、粒子波、準粒子波を含む）に作用する多種多様なデバイスにおいて実施することができる。
【００９４】
なお文献では、本明細書に開示されているデバイスに表面的に類似する偽のフォトニックデバイスの説明を見つけ得ることに留意されたい。これらのデバイスのいずれも、本開示に記載されている原理メカニズムを使用しておらず、したがって第２法則の違反を達成することもできない。説明を目的とした例として、Soellnerによってその出版物（非特許文献１５）の図３に提示されているデバイスが挙げられる。開示した本デバイスにおいて原子Ｍ（３６）が能動的な役割を果たすように、ここでは、このデバイスにおいて能動的な役割を果たす量子ドットが提示されている。しかしながら、これらの役割は根本的に異なり、したがってデバイスは大きく異なって機能する。Soellnerらの量子ドットは、統計的プロセス、崩壊、吸収、または放出を伴うことなく、方向に依存する位相シフトを導入するにすぎない。量子ドットの状態は時間の関数として変化せず、したがって、その出版物のタイトルからすでに明らかであるように、デバイス全体が決定論的な方法で動作する。また例えばBallestroによって提示されているデバイスの場合、４端子デバイスが単一散乱行列によって記述される。しかしながら本明細書に開示されているデバイスは、２つのポートのみで機能することができ、統計的崩壊プロセスによってユニタリー性を破ることによって非相反性が達成される。
【００９５】
ここまで本発明について１つまたは複数の実施形態に関連して図解および説明してきたが、添付の請求項の趣旨および範囲から逸脱することなく、示した例に変更および／または修正を行うことができる。特に、上に説明した構成要素または構造（アセンブリ、デバイス、回路、システムなど）によって実行される様々な機能に関して、このような構成要素を説明するために使用されている用語（「手段」の言及を含む）は、特に明記していない限り、たとえ本明細書で説明されている本発明の例示的な実施形態における機能を実行する開示された構造とは構造的に等しくなくても、説明されている構成要素の指定された機能を実行する（すなわち例えば機能的に等価である）任意の構成要素または構造に対応するように意図されている。
【図１】
2022500904.tif 000048
【図２】
2022500904.tif 000049
【図３】
2022500904.tif 000050
【図４】
2022500904.tif 000051
【図５Ａ−５Ｂ】
2022500904.tif 000052
【図５Ｃ−５Ｄ】
2022500904.tif 000053
【国際調査報告】
2022500904.tif 000054
2022500904.tif 000055
2022500904.tif 000056
2022500904.tif 000057
2022500904.tif 000058